(57)【要約】【課題】  ４色以上の光を利用する場合であっても、装置全体のコスト上昇を抑制することを可能とする投写型映像表示装置を提供する。【解決手段】  投写型映像表示装置は、液晶パネル５０Ｒと、液晶パネル５０Ｇと、液晶パネル５０Ｂと、クロスダイクロイックプリズム６０と、偏光状態調整素子５１ＲＹｅと、偏光状態調整素子５１ＢＣｙとを備える。黄成分光Ｙｅの補色光とは異なる色成分光である赤成分光Ｒは、黄成分光Ｙｅとともに偏光状態調整素子５１ＲＹｅに入射する。シアン成分光Ｃｙの補色光とは異なる色成分光である青成分光Ｂは、シアン成分光Ｃｙとともに偏光状態調整素子５１ＢＣｙに入射する。偏光状態調整素子５１ＲＹｅは、赤成分光Ｒの偏光状態を調整せずに、黄成分光Ｙｅの偏光状態を調整する。偏光状態調整素子５１ＢＣｙは、青成分光Ｂの偏光状態を調整せずに、シアン成分光Ｃｙの偏光状態を調整する。【選択図】  図２
2010139577.tif 000002
【特許請求の範囲】
【請求項１】
赤映像信号に応じて赤成分光を変調する赤光変調素子と、緑映像信号に応じて緑成分光を変調する緑光変調素子と、青映像信号に応じて青成分光を変調する青光変調素子と、前記赤光変調素子、前記緑光変調素子及び前記青光変調素子から出射された光を合成する色合成部と、第４色成分光の偏光状態を調整する第１偏光状態調整素子と、第５色成分光の偏光状態を調整する第２偏光状態調整素子とを備えた投写型映像表示装置であって、
前記赤成分光、前記緑成分光及び前記青成分光のうち、前記第４色成分光の補色光とは異なる色成分光である第１重畳成分光は、前記第４色成分光とともに前記第１偏光状態調整素子に入射し、
前記赤成分光、前記緑成分光及び前記青成分光のうち、前記第５色成分光の補色光とは異なる色成分光である第２重畳成分光は、前記第５色成分光とともに前記第２偏光状態調整素子に入射し、
前記第１偏光状態調整素子は、前記第１重畳成分光の偏光状態を調整せずに、前記第４色成分光の偏光状態を調整し、
前記第２偏光状態調整素子は、前記第２重畳成分光の偏光状態を調整せずに、前記第５色成分光の偏光状態を調整することを特徴とする投写型映像表示装置。
【請求項２】
前記赤成分光、前記緑成分光、前記青成分光、前記第４色成分光及び前記第５色成分光を出射する光源をさらに備え、
前記第４色成分光は、黄成分光であり、
前記第５色成分光は、シアン成分光であり、
前記第１重畳成分光は、前記赤成分光であり、
前記第２重畳成分光は、前記青成分光であることを特徴とする請求項１に記載の投写型映像表示装置。
【請求項３】
前記赤成分光、前記緑成分光、前記青成分光、前記第４色成分光及び前記第５色成分光を出射する光源をさらに備え、
前記第４色成分光は、黄成分光であり、
前記第５色成分光は、シアン成分光であり、
前記第１重畳成分光は、前記緑成分光であり、
前記第２重畳成分光は、前記青成分光であることを特徴とする請求項１に記載の投写型映像表示装置。
【請求項４】
前記赤成分光、前記緑成分光、前記青成分光、前記第４色成分光及び前記第５色成分光を出射する光源をさらに備え、
前記第４色成分光は、黄成分光であり、
前記第５色成分光は、シアン成分光であり、
前記第１重畳成分光は、前記赤成分光であり、
前記第２重畳成分光は、前記緑成分光であることを特徴とする請求項１に記載の投写型映像表示装置。
【請求項５】
前記第１偏光状態調整素子による前記第４色成分光の偏光状態の調整量及び前記第２偏光状態調整素子による前記第５色成分光の偏光状態の調整量を制御する制御部をさらに備え、
前記第４色成分光は、黄成分光であり、
前記第５色成分光は、シアン成分光であり、
前記第１重畳成分光及び前記第２重畳成分光は、前記緑成分光であり、
前記制御部は、前記第４色成分光の偏光状態の調整量及び前記第５色成分光の偏光状態の調整量を同じ量に揃えることを特徴とする請求項１に記載の投写型映像表示装置。
【発明の詳細な説明】
【技術分野】
【０００１】
本発明は、４色以上の色成分光を利用する投写型映像表示装置に関する。
【背景技術】
【０００２】
従来、３色の色成分光に対応する３つの光変調素子と、３つの光変調素子から出射される光を合成するクロスダイクロイックキューブと、クロスダイクロイックキューブで合成された光を投写する投写手段とを有する投写型映像表示装置が知られている。
【０００３】
ここで、クロスダイクロイックキューブは、光が入射する３つの光入射面と、光が出射する１つの光出射面とを有している。従って、クロスダイクロイックキューブに入射する光が３色の色成分光である場合には、投写型映像表示装置は、一つのクロスダイクロイックキューブを有していれば足りる。
【０００４】
一方で、色再現性や輝度の向上を目的として、４色以上の色成分光を利用する投写型映像表示装置が提案されている。例えば、投写型映像表示装置は、赤成分光、緑成分光及び青成分光に加えて、オレンジ成分光、黄成分光又はシアン成分光を利用することによって、色再現性や輝度の向上を図っている（例えば、特許文献１）。
【特許文献１】特開２００２−２８７２４７号公報
【発明の開示】
【発明が解決しようとする課題】
【０００５】
ここで、投写型映像表示装置が４色以上の色成分光を利用する場合には、一つのクロスダイクロイックキューブで４色以上の色成分光を合成することができない。従って、投写型映像表示装置は、複数のダイクロイックキューブ（又は、クロスダイクロイックキューブ）を有する必要がある。
【０００６】
例えば、４色の色成分光の合成が必要である場合には、投写型映像表示装置は、２色の色成分光が合成された合成光を２つ取得して、２つの合成光をさらに合成することによって、４色の色成分光を含む合成光を取得する。なお、投写型映像表示装置は、３色の色成分光が合成された合成光を取得して、合成光と１色の色成分光とを合成することによって、４色の色成分光を含む合成光を取得してもよい。投写型映像表示装置は、２色の色成分光が合成された合成光を取得して、合成光と２色の色成分光とを合成することによって、４色の色成分光を含む合成光を取得してもよい。
【０００７】
ここで、光変調素子と投写手段との間に、複数のダイクロイックキューブ（又は、クロスダイクロイックキューブ）を設ける必要がある。従って、投写手段のバックフォーカスが長くなる。
【０００８】
この結果、３色の光を利用する投写型映像表示装置で用いられる投写手段を転用することができないため、投写型映像表示装置のコストが全体として上昇してしまう。
【０００９】
そこで、本発明は、上述した課題を解決するためになされたものであり、４色以上の色成分光を利用する場合であっても、装置全体のコスト上昇を抑制することを可能とする投写型映像表示装置を提供することを目的とする。
【課題を解決するための手段】
【００１０】
第１の特徴に係る投写型映像表示装置は、赤映像信号に応じて赤成分光を変調する赤光変調素子（液晶パネル５０Ｒ）と、緑映像信号に応じて緑成分光を変調する緑光変調素子（液晶パネル５０Ｇ）と、青映像信号に応じて青成分光を変調する青光変調素子（液晶パネル５０Ｂ）と、前記赤光変調素子、前記緑光変調素子及び前記青光変調素子から出射された光を合成する色合成部（クロスダイクロイックプリズム６０）と、第４色成分光（例えば、黄成分光Ｙｅ）の偏光状態を調整する第１偏光状態調整素子（例えば、偏光状態調整素子５１ＲＹｅ又は偏光状態調整素子５１ＧＹｅ）と、第５色成分光（例えば、シアン成分光Ｃｙ）の偏光状態を調整する第２偏光状態調整素子（例えば、偏光状態調整素子５１ＧＣｙ又は偏光状態調整素子５１ＢＣｙ）とを備える。前記赤成分光、前記緑成分光及び前記青成分光のうち、前記第４色成分光の補色光とは異なる色成分光である第１重畳成分光は、前記第４色成分光とともに前記第１偏光状態調整素子に入射する。前記赤成分光、前記緑成分光及び前記青成分光のうち、前記第５色成分光の補色光とは異なる色成分光である第２重畳成分光は、前記第５色成分光とともに前記第２偏光状態調整素子に入射する。前記第１偏光状態調整素子は、前記第１重畳成分光の偏光状態を調整せずに、前記第４色成分光の偏光状態を調整する。前記第２偏光状態調整素子は、前記第２重畳成分光の偏光状態を調整せずに、前記第５色成分光の偏光状態を調整する。
【００１１】
第１の特徴において、投写型映像表示装置は、前記赤成分光、前記緑成分光、前記青成分光、前記第４色成分光及び前記第５色成分光を出射する光源（光源１０）をさらに備える。前記第４色成分光は、黄成分光である。前記第５色成分光は、シアン成分光である。前記第１重畳成分光は、前記赤成分光である。前記第２重畳成分光は、前記青成分光である。
【００１２】
第１の特徴において、投写型映像表示装置は、前記赤成分光、前記緑成分光、前記青成分光、前記第４色成分光及び前記第５色成分光を出射する光源（光源１０）をさらに備える。前記第４色成分光は、黄成分光である。前記第５色成分光は、シアン成分光である。前記第１重畳成分光は、前記緑成分光である。前記第２重畳成分光は、前記青成分光である。
【００１３】
第１の特徴において、投写型映像表示装置は、前記赤成分光、前記緑成分光、前記青成分光、前記第４色成分光及び前記第５色成分光を出射する光源（光源１０）をさらに備える。前記第４色成分光は、黄成分光である。前記第５色成分光は、シアン成分光である。前記第１重畳成分光は、前記赤成分光である。前記第２重畳成分光は、前記緑成分光である。
【００１４】
投写型映像表示装置は、前記第１偏光状態調整素子による前記第４色成分光の偏光状態の調整量及び前記第２偏光状態調整素子による前記第５色成分光の偏光状態の調整量を制御する制御部をさらに備える。前記第４色成分光は、黄成分光である。前記第５色成分光は、シアン成分光である。前記第１重畳成分光及び前記第２重畳成分光は、前記緑成分光である。前記制御部は、前記第４色成分光の偏光状態の調整量及び前記第５色成分光の偏光状態の調整量を同じ量に揃える。
【発明の効果】
【００１５】
本発明によれば、４色以上の色成分光を利用する場合であっても、装置全体のコスト上昇を抑制することを可能とする投写型映像表示装置を提供することができる。
【発明を実施するための最良の形態】
【００１６】
以下において、本発明の実施形態に係る投写型映像表示装置について、図面を参照しながら説明する。なお、以下の図面の記載において、同一又は類似の部分には、同一又は類似の符号を付している。
【００１７】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００１８】
［実施形態の概要］
実施形態に係る投写型映像表示装置は、赤成分光、緑成分光及び青成分光に加えて、第４色成分光及び第５色成分光を利用する。投写型映像表示装置は、赤映像信号に応じて赤成分光を変調する赤光変調素子と、緑映像信号に応じて緑成分光を変調する緑光変調素子と、青映像信号に応じて青成分光を変調する青光変調素子と、赤光変調素子、緑光変調素子及び青光変調素子から出射された光を合成する色合成部と、第４色成分光の偏光状態を調整する第１偏光状態調整素子と、第５色成分光の偏光状態を調整する第２偏光状態調整素子とを備える。赤成分光、緑成分光及び青成分光のうち、第４色成分光の補色光とは異なる色成分光である第１重畳成分光は、第４色成分光とともに第１偏光状態調整素子に入射する。赤成分光、緑成分光及び青成分光のうち、第５色成分光の補色光とは異なる色成分光である第２重畳成分光は、第５色成分光とともに第２偏光状態調整素子に入射する。第１偏光状態調整素子は、第１重畳成分光の偏光状態を調整せずに、第４色成分光の偏光状態を調整する。第２偏光状態調整素子は、第２重畳成分光の偏光状態を調整せずに、第５色成分光の偏光状態を調整する。
【００１９】
このように、実施形態では、第１偏光状態調整素子は、第１重畳成分光及び第４色成分光のうち、第４色成分光の偏光状態を調整し、第２偏光状態調整素子は、第２重畳成分光及び第５色成分光のうち、第５色成分光の偏光状態を調整する。
【００２０】
従って、装置全体のコスト上昇を抑制しながら、４色以上の色成分光を利用することができる。
【００２１】
なお、実施形態では、第４色成分光としては、黄成分光を用いて、第５色成分光として、シアン成分光を用いるケースについて説明する。しかしながら、実施形態は、これに限定されるものではない。具体的には、第４色成分光及び第５色成分光としては、黄成分光、シアン成分光及びマゼンタ成分光のうち、いずれか２つの色成分光を用いることができる。
【００２２】
［第１実施形態］
（投写型映像表示装置の構成）
以下において、第１実施形態に係る投写型映像表示装置について、図面を参照しながら説明する。図１は、第１実施形態に係る投写型映像表示装置１００の構成を示す図である。
【００２３】
図１に示すように、投写型映像表示装置１００は、投写光学系１１０と、照明装置１２０とを有する。投写型映像表示装置１００は、後述するように、赤成分光Ｒ、緑成分光Ｇ及び青成分光Ｂに加えて、黄成分光Ｙｅ及びシアン成分光Ｃｙを利用する。
【００２４】
投写光学系１１０は、照明装置１２０から出射された映像光をスクリーン（不図示）上などに投写する。
【００２５】
第１に、照明装置１２０は、光源１０と、ＵＶ／ＩＲカットフィルタ２０と、フライアイレンズユニット３０と、ＰＢＳアレイ４０と、複数の液晶パネル５０（液晶パネル５０Ｒ、液晶パネル５０Ｇ及び液晶パネル５０Ｂ）と、複数の偏光状態調整素子５１（偏光状態調整素子５１ＲＹｅ及び偏光状態調整素子５１ＢＣｙ）、クロスダイクロイックプリズム６０とを有する。
【００２６】
光源１０は、白色光を発する光源（例えば、ＵＨＰランプやキセノンランプ）などである。すなわち、光源１０が発する光は、赤成分光Ｒ、緑成分光Ｇ及び青成分光Ｂに加えて、黄成分光Ｙｅ及びシアン成分光Ｃｙを含む。
【００２７】
ＵＶ／ＩＲカットフィルタ２０は、可視光成分（赤成分光Ｒ、緑成分光Ｇ及び青成分光Ｂ）を透過する。ＵＶ／ＩＲカットフィルタ２０は、赤外光成分や紫外光成分を遮光する。
【００２８】
フライアイレンズユニット３０は、光源１０が発する光を均一化する。具体的には、フライアイレンズユニット３０は、フライアイレンズ３１及びフライアイレンズ３２によって構成される。フライアイレンズ３１及びフライアイレンズ３２は、それぞれ、複数の微少レンズによって構成される。各微少レンズは、光源１０が発する光が液晶パネル５０の全面に照射されるように、光源１０が発する光を集光する。
【００２９】
ＰＢＳアレイ４０は、フライアイレンズユニット３０から出射された光の偏光状態を揃える。例えば、ＰＢＳアレイ４０は、フライアイレンズユニット３０から出射された光をＳ偏光（又はＰ偏光）に揃える。
【００３０】
液晶パネル５０Ｒは、赤映像信号（後述する赤出力信号Ｒｏｕｔ）に基づいて赤成分光Ｒを変調する。液晶パネル５０Ｒに光が入射する側には、一の偏光方向（例えば、Ｓ偏光）を有する光を透過して、他の偏光方向（例えば、Ｐ偏光）を有する光を遮光する入射側偏光板５２Ｒが設けられている。液晶パネル５０Ｒから光が出射する側には、一の偏光方向（例えば、Ｓ偏光）を有する光を遮光して、他の偏光方向（例えば、Ｐ偏光）を有する光を透過する出射側偏光板５３Ｒが設けられている。
【００３１】
液晶パネル５０Ｇは、緑映像信号（後述する緑出力信号Ｇｏｕｔ）に基づいて緑成分光Ｇを変調する。液晶パネル５０Ｇに光が入射する側には、一の偏光方向（例えば、Ｓ偏光）を有する光を透過して、他の偏光方向（例えば、Ｐ偏光）を有する光を遮光する入射側偏光板５２Ｇが設けられる。一方で、液晶パネル５０Ｇから光が出射する側には、一の偏光方向（例えば、Ｓ偏光）を有する光を遮光して、他の偏光方向（例えば、Ｐ偏光）を有する光を透過する出射側偏光板５３Ｇが設けられる。
【００３２】
液晶パネル５０Ｂは、青映像信号（後述する青出力信号Ｂｏｕｔ）に基づいて青成分光Ｂを変調する。液晶パネル５０Ｂに光が入射する側には、一の偏光方向（例えば、Ｓ偏光）を有する光を透過して、他の偏光方向（例えば、Ｐ偏光）を有する光を遮光する入射側偏光板５２Ｂが設けられる。一方で、液晶パネル５０Ｂから光が出射する側には、一の偏光方向（例えば、Ｓ偏光）を有する光を遮光して、他の偏光方向（例えば、Ｐ偏光）を有する光を透過する出射側偏光板５３Ｂが設けられる。
【００３３】
ここで、各液晶パネル５０には、コントラスト比や透過率を向上させる補償板（不図示）が設けられていてもよい。また、各偏光板は、偏光板に入射する光の光量や熱負担を軽減させるプリ偏光板を有していてもよい。
【００３４】
偏光状態調整素子５１ＲＹｅには、黄成分光Ｙｅとともに赤成分光Ｒが入射する。赤成分光Ｒは、赤成分光Ｒ、緑成分光Ｇ及び青成分光Ｂのうち、黄成分光Ｙｅの補色光（青成分光Ｂ）とは異なる第１重畳成分光である。すなわち、偏光状態調整素子５１ＲＹｅは、赤成分光Ｒの光路上に設けられる。
【００３５】
偏光状態調整素子５１ＲＹｅは、第１重畳成分光（ここでは、赤成分光Ｒ）の偏光状態を調整せずに、黄成分光Ｙｅの偏光状態を調整する。具体的には、偏光状態調整素子５１ＲＹｅは、自素子に印加される電圧に応じて、黄成分光Ｙｅの偏光状態を調整する。
【００３６】
例えば、偏光状態調整素子５１ＲＹｅは、黄成分光Ｙｅの偏光方向を回転させない状態と、黄成分光Ｙｅの偏光方向を９０°回転させる状態とを選択的に切り替え可能に構成された光学素子である。又は、偏光状態調整素子５１ＲＹｅは、０〜９０°の範囲内において、黄成分光Ｙｅの偏光状態を調整する光学素子である。
【００３７】
ここで、偏光状態調整素子５１ＲＹｅは、単一の画素を有しており、黄成分光Ｙｅの重畳量をフレームで一律に制御してもよい。また、偏光状態調整素子５１ＲＹｅは、複数の画素を有しており、黄成分光Ｙｅの重畳量を画素毎に制御してもよい。なお、偏光状態調整素子５１ＲＹｅの画素数は、液晶パネル５０の画素数よりも少ないことが好ましい。
【００３８】
偏光状態調整素子５１ＢＣｙには、シアン成分光Ｃｙとともに青成分光Ｂが入射する。青成分光Ｂは、赤成分光Ｒ、緑成分光Ｇ及び青成分光Ｂのうち、黄成分光Ｙｅの補色光（赤成分光Ｒ）とは異なる第２重畳成分光である。すなわち、偏光状態調整素子５１ＢＣｙは、青成分光Ｂの光路上に設けられる。
【００３９】
偏光状態調整素子５１ＢＣｙは、第２重畳成分光（ここでは、青成分光Ｂ）の偏光状態を調整せずに、シアン成分光Ｃｙの偏光状態を調整する。具体的には、偏光状態調整素子５１ＢＣｙは、自素子に印加される電圧に応じて、シアン成分光Ｃｙの偏光状態を調整する。
【００４０】
例えば、偏光状態調整素子５１ＢＣｙは、シアン成分光Ｃｙの偏光方向を回転させない状態と、シアン成分光Ｃｙの偏光方向を９０°回転させる状態とを選択的に切り替え可能に構成された光学素子である。又は、偏光状態調整素子５１ＢＣｙは、０〜９０°の範囲内において、シアン成分光Ｃｙの偏光状態を調整する光学素子である。
【００４１】
ここで、偏光状態調整素子５１ＢＣｙは、単一の画素を有しており、シアン成分光Ｃｙの重畳量をフレームで一律に制御してもよい。また、偏光状態調整素子５１ＢＣｙは、複数の画素を有しており、シアン成分光Ｃｙの重畳量を画素毎に制御してもよい。なお、偏光状態調整素子５１ＢＣｙの画素数は、液晶パネル５０の画素数よりも少ないことが好ましい。
【００４２】
クロスダイクロイックプリズム６０は、液晶パネル５０Ｒ、液晶パネル５０Ｇ及び液晶パネル５０Ｂから出射される光を合成する色合成部を構成する。クロスダイクロイックプリズム６０から出射された合成光は、投写光学系１１０に導かれる。
【００４３】
第２に、照明装置１２０は、ミラー群（ミラー７１〜ミラー７６）及びレンズ群（レンズ８１〜レンズ８５）を有する。
【００４４】
ミラー７１は、青成分光Ｂを透過して、赤成分光Ｒ及び緑成分光Ｇを反射するダイクロイックミラーである。ミラー７２は、赤成分光Ｒを透過して、緑成分光Ｇを反射するダイクロイックミラーである。ミラー７１及びミラー７２は、赤成分光Ｒ、緑成分光Ｇ及び青成分光Ｂを分離する色分離部を構成する。
【００４５】
ミラー７３は、赤成分光Ｒ、緑成分光Ｇ及び青成分光Ｂを反射して、赤成分光Ｒ、緑成分光Ｇ及び青成分光Ｂをミラー７１側に導く。ミラー７４は、青成分光Ｂを反射して、青成分光Ｂを液晶パネル５０Ｂ側に導く。ミラー７５及びミラー７６は、赤成分光Ｒを反射して、赤成分光Ｒを液晶パネル５０Ｒ側に導く。
【００４６】
レンズ８１は、ＰＢＳアレイ４０から出射された光を集光するコンデンサレンズである。レンズ８２は、ミラー７３で反射された光を集光するコンデンサレンズである。
【００４７】
レンズ８３Ｒは、液晶パネル５０Ｒに赤成分光Ｒが照射されるように、赤成分光Ｒを略平行光化する。レンズ８３Ｇは、液晶パネル５０Ｇに緑成分光Ｇが照射されるように、緑成分光Ｇを略平行光化する。レンズ８３Ｂは、液晶パネル５０Ｂに青成分光Ｂが照射されるように、青成分光Ｂを略平行光化する。
【００４８】
レンズ８４及びレンズ８５は、赤成分光Ｒの拡大を抑制しながら、液晶パネル５０Ｒ上に赤成分光Ｒを略結像するリレーレンズである。
【００４９】
（第１偏光状態調整素子の構成）
以下において、第１実施形態に係る第１偏光状態調整素子の構成について、図面を参照しながら説明する。図２及び図３は、第１実施形態に係る偏光状態調整素子５１ＲＹｅの近傍を示す図である。
【００５０】
図２に示すように、偏光状態調整素子５１ＲＹｅは、Ｙｅ−ＯＮ状態において、黄成分光Ｙｅの偏光状態を調整せずに透過する。すなわち、偏光状態調整素子５１ＲＹｅの光出射側において、黄成分光Ｙｅの偏光状態は、赤成分光Ｒの偏光状態と同じである。Ｙｅ−ＯＮ状態は、黄成分光Ｙｅを利用する状態である。
【００５１】
図３に示すように、偏光状態調整素子５１ＲＹｅは、Ｙｅ−ＯＦＦ状態において、黄成分光Ｙｅの偏光状態を調整して透過する。すなわち、偏光状態調整素子５１ＲＹｅの光出射側において、黄成分光Ｙｅの偏光状態は、赤成分光Ｒの偏光状態と異なっている。Ｙｅ−ＯＦＦ状態は、黄成分光Ｙｅを利用しない状態である。なお、Ｙｅ−ＯＦＦ状態では、液晶パネル５０Ｒに設けられた入射側偏光板５２Ｒによって黄成分光Ｙｅが遮光される。
【００５２】
（第２偏光状態調整素子の構成）
以下において、第１実施形態に係る第２偏光状態調整素子の構成について、図面を参照しながら説明する。図４及び図５は、第１実施形態に係る偏光状態調整素子５１ＢＣｙの近傍を示す図である。
【００５３】
図４に示すように、偏光状態調整素子５１ＢＣｙは、Ｃｙ−ＯＮ状態において、シアン成分光Ｃｙの偏光状態を調整せずに透過する。すなわち、偏光状態調整素子５１ＢＣｙの光出射側において、シアン成分光Ｃｙの偏光状態は、青成分光Ｂの偏光状態と同じである。Ｃｙ−ＯＮ状態は、シアン成分光Ｃｙを利用する状態である。
【００５４】
図５に示すように、偏光状態調整素子５１ＢＣｙは、Ｃｙ−ＯＦＦ状態において、シアン成分光Ｃｙの偏光状態を調整して透過する。すなわち、偏光状態調整素子５１ＢＣｙの光出射側において、シアン成分光Ｃｙの偏光状態は、青成分光Ｂの偏光状態と異なっている。Ｃｙ−ＯＦＦ状態は、シアン成分光Ｃｙを利用しない状態である。なお、Ｃｙ−ＯＦＦ状態では、液晶パネル５０Ｂに設けられた入射側偏光板５２Ｂによってシアン成分光Ｃｙが遮光される。
【００５５】
（投写型映像表示装置の機能）
以下において、第１実施形態に係る投写型映像表示装置の機能について、図面を参照しながら説明する。図６は、第１実施形態に係る投写型映像表示装置１００に設けられた制御ユニット２００を示すブロック図である。
【００５６】
ここで、制御ユニット２００は、映像入力信号を映像出力信号に変換する。映像入力信号は、赤入力信号Ｒｉｎ、緑入力信号Ｇｉｎ及び青入力信号Ｂｉｎを含む。映像出力信号は、赤出力信号Ｒｏｕｔ、緑出力信号Ｇｏｕｔ及び青出力信号Ｂｏｕｔを含む。
【００５７】
図６に示すように、制御ユニット２００は、信号受付部２１０と、ＨＳＶ変換部２２０と、Ｙｅ制御部２２０と、Ｃｙ制御部２３０と、ＲＧＢ制御部２４０とを有する。
【００５８】
信号受付部２１０は、ＤＶＤやＴＶチューナなどの外部装置から映像入力信号を受付ける。
【００５９】
ＨＳＶ変換部２２０は、各画素の入力彩度成分Ｓｉｎ、入力色相成分Ｈｉｎ及び入力明度成分Ｖｉｎを算出する。具体的には、ＨＳＶ変換部２２０は、赤入力信号Ｒｉｎ、緑入力信号Ｇｉｎ及び青入力信号Ｂｉｎに基づいて、以下の式に従って、各画素の入力色相成分Ｈｉｎ、入力彩度成分Ｓｉｎ及び入力明度成分Ｖｉｎを算出する。
【００６０】
【数１】
2010139577.tif 000003
【００６１】
Ｙｅ制御部２２０は、映像入力信号に基づいて、黄成分光Ｙｅの重畳量を決定する。具体的には、Ｙｅ制御部２２０は、入力色相成分Ｈｉｎ及び入力彩度成分Ｓｉｎに基づいて、黄成分光Ｙｅの重畳量を決定する。
【００６２】
第１に、Ｙｅ制御部２２０は、図７を参照して、入力色相成分Ｈｉｎに対応する色相係数ＲＨＹｖａｌを算出する。図７に示すように、赤の色相に近いほど、色相係数ＲＨＹｖａｌの値が小さい。なお、色相係数ＲＨＹｖａｌの範囲は、“０”〜“１”である。
【００６３】
なお、偏光状態調整素子５１ＲＹｅが単一の画素を有する場合には、Ｙｅ制御部２２０は、フレームを構成する全画素の入力色相成分Ｈｉｎの平均値を用いる。偏光状態調整素子５１ＲＹｅが複数の画素を有する場合には、Ｙｅ制御部２２０は、偏光状態調整素子５１ＲＹｅの１画素に対応する画素の入力色相成分Ｈｉｎの平均値を用いる。
【００６４】
続いて、Ｙｅ制御部２２０は、図８を参照して、入力彩度成分Ｓｉｎに対応する彩度係数ＲＳＹｖａｌを算出する。図８に示すように、彩度が高いほど、彩度係数ＲＳＹｖａｌの値が小さい。なお、彩度係数ＲＳＹｖａｌの範囲は、“０”〜“１”である。
【００６５】
なお、偏光状態調整素子５１ＲＹｅが単一の画素を有する場合には、Ｙｅ制御部２２０は、フレームを構成する全画素の入力彩度成分Ｓｉｎの平均値を用いる。偏光状態調整素子５１ＲＹｅが複数の画素を有する場合には、Ｙｅ制御部２２０は、偏光状態調整素子５１ＲＹｅの１画素に対応する画素の入力彩度成分Ｓｉｎの平均値を用いる。
【００６６】
第２に、Ｙｅ制御部２２０は、色相係数ＲＨＹｖａｌ及び彩度係数ＲＳＹｖａｌに基づいて、黄成分光Ｙｅの重畳係数Ｖｙ及び出力信号Ｙｅｏｕｔを、以下の式に従って算出する。なお、重畳係数Ｖｙの範囲は、“０”〜“１”である。また、出力信号Ｙｅｏｕｔは、偏光状態調整素子５１ＲＹｅを制御するための信号である。ＳｉｇＭＡＸは、映像信号の最大値（例えば、２５５）である。
【００６７】
【数２】
2010139577.tif 000004
【００６８】
なお、図９に示すように、黄成分光Ｙｅの重畳量が最大であるケース（Ｖｙ＝ＭＡＸ）における色再現範囲は、黄成分光Ｙｅの重畳量が０であるケース（Ｖｙ＝０）における色再現範囲よりも小さくなることに留意すべきである。色再現範囲（Ｖｙ＝ＭＡＸ）は、特に、赤の色相において、色再現範囲（Ｖｙ＝０）よりも小さくなる。
【００６９】
また、Ｙｅ制御部２２０は、入力色相成分Ｈｉｎ及び入力彩度成分Ｓｉｎに基づいて、赤入力信号Ｒｉｎ、緑入力信号Ｇｉｎ及び青入力信号Ｂｉｎを補正するための補正係数を算出する。
【００７０】
具体的には、Ｙｅ制御部２２０は、図１０を参照して、入力色相成分Ｈｉｎに対応する色相補正係数ＨＹａｄｊを算出する。なお、図１０に示すように、黄の色相に近いほど、色相補正係数ＨＹａｄｊの値が小さい。なお、色相補正係数ＨＹａｄｊの範囲は、“０”〜“１”である。Ｙｅ制御部２２０は、色相補正係数ＨＹａｄｊを液晶パネル５０の画素毎に算出することに留意すべきである。
【００７１】
続いて、Ｙｅ制御部２２０は、図１１を参照して、入力彩度成分Ｓｉｎに対応する彩度補正係数ＳＹａｄｊを算出する。図１１に示すように、彩度が低いほど、彩度補正係数ＳＹａｄｊの値が小さい。なお、彩度補正係数ＳＹａｄｊの範囲は、“０”〜“１”である。Ｙｅ制御部２２０は、彩度補正係数ＳＹａｄｊを液晶パネル５０の画素毎に算出することに留意すべきである。
【００７２】
最終的には、Ｙｅ制御部２２０は、色相補正係数ＨＹａｄｊ及び彩度補正係数ＳＹａｄｊに基づいて、補正係数ＹＥａｄｊを算出する。具体的には、Ｙｅ制御部２２０は、以下の式に従って、補正係数ＹＥａｄｊを算出する。
【００７３】
【数３】
2010139577.tif 000005
【００７４】
Ｃｙ制御部２３０は、映像入力信号に基づいて、シアン成分光Ｃｙの重畳量を決定する。具体的には、Ｃｙ制御部２３０は、入力色相成分Ｈｉｎ及び入力彩度成分Ｓｉｎに基づいて、シアン成分光Ｃｙの重畳量を決定する。
【００７５】
第１に、Ｃｙ制御部２３０は、図１２を参照して、入力色相成分Ｈｉｎに対応する色相係数ＢＨＣｖａｌを算出する。図１２に示すように、青の色相に近いほど、色相係数ＢＨＣｖａｌの値が小さい。なお、色相係数ＢＨＣｖａｌの範囲は、“０”〜“１”である。
【００７６】
なお、偏光状態調整素子５１ＢＣｙが単一の画素を有する場合には、Ｃｙ制御部２３０は、フレームを構成する全画素の入力色相成分Ｈｉｎの平均値を用いる。偏光状態調整素子５１ＢＣｙが複数の画素を有する場合には、Ｃｙ制御部２３０は、偏光状態調整素子５１ＢＣｙの１画素に対応する画素の入力色相成分Ｈｉｎの平均値を用いる。
【００７７】
続いて、Ｃｙ制御部２３０は、図１３を参照して、入力彩度成分Ｓｉｎに対応する彩度係数ＢＳＣｖａｌを算出する。図１３に示すように、彩度が高いほど、彩度係数ＢＳＣｖａｌの値が小さい。なお、彩度係数ＢＳＣｖａｌの範囲は、“０”〜“１”である。
【００７８】
なお、偏光状態調整素子５１ＢＣｙが単一の画素を有する場合には、Ｃｙ制御部２３０は、フレームを構成する全画素の入力彩度成分Ｓｉｎの平均値を用いる。偏光状態調整素子５１ＢＣｙが複数の画素を有する場合には、Ｃｙ制御部２３０は、偏光状態調整素子５１ＢＣｙの１画素に対応する画素の入力彩度成分Ｓｉｎの平均値を用いる。
【００７９】
第２に、Ｃｙ制御部２３０は、色相係数ＢＨＣｖａｌ及び彩度係数ＢＳＣｖａｌに基づいて、シアン成分光Ｃｙの重畳係数Ｖｃ及び出力信号Ｃｙｏｕｔを、以下の式に従って算出する。なお、重畳係数Ｖｃの範囲は、“０”〜“１”である。また、出力信号Ｃｙｏｕｔは、偏光状態調整素子５１ＢＣｙを制御するための信号である。
【００８０】
【数４】
2010139577.tif 000006
【００８１】
なお、図１４に示すように、シアン成分光Ｃｙの重畳量が最大であるケース（Ｖｃ＝ＭＡＸ）における色再現範囲は、シアン成分光Ｃｙの重畳量が０であるケース（Ｖｃ＝０）における色再現範囲よりも小さくなることに留意すべきである。色再現範囲（Ｖｃ＝ＭＡＸ）は、特に、青の色相において、色再現範囲（Ｖｃ＝０）よりも小さくなる。
【００８２】
また、Ｃｙ制御部２３０は、入力色相成分Ｈｉｎ及び入力彩度成分Ｓｉｎに基づいて、赤入力信号Ｒｉｎ、緑入力信号Ｇｉｎ及び青入力信号Ｂｉｎを補正するための補正係数を算出する。
【００８３】
具体的には、Ｃｙ制御部２３０は、図１５を参照して、入力色相成分Ｈｉｎに対応する色相補正係数ＨＣａｄｊを算出する。なお、図１５に示すように、シアンの色相に近いほど、色相補正係数ＨＣａｄｊの値が小さい。なお、色相補正係数ＨＣａｄｊの範囲は、“０”〜“１”である。Ｃｙ制御部２３０は、色相補正係数ＨＣａｄｊを液晶パネル５０の画素毎に算出することに留意すべきである。
【００８４】
続いて、Ｃｙ制御部２３０は、図１６を参照して、入力彩度成分Ｓｉｎに対応する彩度補正係数ＳＣａｄｊを算出する。図１６に示すように、彩度が低いほど、彩度補正係数ＳＣａｄｊの値が小さい。なお、彩度補正係数ＳＣａの範囲は、“０”〜“１”である。Ｃｙ制御部２３０は、彩度補正係数ＳＣａｄｊを液晶パネル５０の画素毎に算出することに留意すべきである。
【００８５】
最終的には、Ｃｙ制御部２３０は、色相補正係数ＨＣａｄｊ及び彩度補正係数ＳＣａｄｊに基づいて、補正係数ＣＹａｄｊを算出する。具体的には、Ｙｅ制御部２２０は、以下の式に従って、補正係数ＣＹａｄｊを算出する。
【００８６】
【数５】
2010139577.tif 000007
【００８７】
ＲＧＢ制御部２４０は、映像入力信号を映像出力信号に変換する。すなわち、ＲＧＢ制御部２４０は、赤入力信号Ｒｉｎ、緑入力信号Ｇｉｎ及び青入力信号Ｂｉｎに基づいて、赤出力信号Ｒｏｕｔ、緑出力信号Ｇｏｕｔ及び青出力信号Ｂｏｕｔを算出する。
【００８８】
ここで、黄成分光Ｙｅ及びシアン成分光Ｃｙを除いた色成分光（すなわち、赤成分光Ｒ、緑成分光Ｇ及び青成分光Ｂ）によって映像が再現される場合に、映像の色ズレが最小であるように設計されているケースについて例示する。
【００８９】
ここで、黄成分光Ｙｅは、ミラー７２の特性（カットオフ波長）に応じて、Ｒ光路とＧ光路とに分離される。ここでは、Ｒ光路とＧ光路との分離比（Ｒ光路：Ｇ光路）をα：β（α＋β＝１）とする。同様に、シアン成分光Ｃｙは、ミラー７１の特性（カットオフ波長）に応じて、Ｇ光路とＢ光路とに分離される。ここでは、Ｇ光路とＢ光路との分離比（Ｇ光路：Ｂ光路）をγ：σ（γ＋σ＝１）とする。
【００９０】
ここで、黄成分光Ｙｅ及びシアン成分光Ｃｙを考慮した信号値は、以下の式で表される。
【００９１】
【数６】
2010139577.tif 000008
【００９２】
但し、Ｒｘ、Ｇｘ及びＢｘは、黄成分光Ｙｅ及びシアン成分光Ｃｙを考慮した赤映像信号、緑映像信号及び青映像信号である。このように、黄成分光Ｙｅ及びシアン成分光Ｃｙを考慮すると、赤映像信号、緑映像信号及び青映像信号によって再現される色は、赤入力信号Ｒｉｎ、緑入力信号Ｇｉｎ及び青入力信号Ｂｉｎによって再現される色からずれる可能性がある。
【００９３】
そこで、ＲＧＢ制御部２４０は、補正係数ＹＥａｄｊ及び補正係数ＣＹａｄｊを用いて、赤入力信号Ｒｉｎ、緑入力信号Ｇｉｎ及び青入力信号Ｂｉｎを、赤出力信号Ｒｏｕｔ、緑出力信号Ｇｏｕｔ及び青出力信号Ｂｏｕｔに変換する。
【００９４】
第１に、ＲＧＢ制御部２４０は、独立して扱うことが可能な赤出力信号Ｒｏｕｔ及び青出力信号Ｂｏｕｔを、以下の式に従って算出する。
【００９５】
【数７】
2010139577.tif 000009
【００９６】
第２に、ＲＧＢ制御部２４０は、赤出力信号Ｒｏｕｔ及び青出力信号Ｂｏｕｔを用いて、独立して扱うことができなかった緑出力信号Ｇｏｕｔを、以下の式に従って算出する。
【００９７】
【数８】
2010139577.tif 000010
【００９８】
（作用及び効果）
第１実施形態では、偏光状態調整素子５１ＲＹｅは、赤成分光Ｒ及び黄成分光Ｙｅのうち、黄成分光Ｙｅの偏光状態を調整し、偏光状態調整素子５１ＢＣｙは、青成分光Ｂ及びシアン成分光Ｃｙのうち、シアン成分光Ｃｙの偏光状態を調整する。
【００９９】
従って、装置全体のコスト上昇を抑制しながら、４色以上の色成分光を利用することができる。
【０１００】
第１実施形態では、黄成分光Ｙｅが赤成分光Ｒに重畳され、シアン成分光Ｃｙが青成分光Ｂに重畳される。すなわち、黄成分光Ｙｅ及びシアン成分光Ｃｙが緑成分光Ｇに重畳されない。また、最終的には、光量が最も多い緑成分光Ｇの調整によって、黄成分光Ｙｅ及びシアン成分光Ｃｙの重畳によって生じる色ずれを効率的に縮小することができる。
【０１０１】
［比較結果］
以下において、実施例と比較例との比較結果について、図１７を参照しながら説明する。実施例及び比較例では、赤成分光Ｒ、緑成分光Ｇ及び青成分光Ｂに加えて、黄成分光Ｙｅ及びシアン成分光Ｃｙが用いられる。また、黄成分光Ｙｅが赤成分光Ｒに重畳され、シアン成分光Ｃｙが青成分光Ｂに重畳される。
【０１０２】
実施例では、偏光状態調整素子５１ＲＹｅ及び偏光状態調整素子５１ＢＣｙによって、黄成分光Ｙｅ及びシアン成分光Ｃｙの重畳量が制御する。一方で、比較例では、黄成分光Ｙｅ及びシアン成分光Ｃｙの重畳量が制御されずに、単純に、黄成分光Ｙｅ及びシアン成分光Ｃｙが重畳される。
【０１０３】
比較例に示すように、黄成分光Ｙｅが赤成分光Ｒに重畳されるため、赤の色相において色再現範囲が狭くなる。同様に、シアン成分光Ｃｙが青成分光Ｂに重畳されるため、青の色相にといて色再現範囲が狭くなる。
【０１０４】
これに対して、実施例では、黄成分光Ｙｅの重畳量が色相係数ＲＨＹｖａｌ及び彩度係数ＲＳＹｖａｌに基づいて決定される。すなわち、赤の色相に近く、彩度が高いほど、黄成分光Ｙｅの重畳量が小さくなる。同様に、シアン成分光Ｃｙの重畳量が色相係数ＢＨＣｖａｌ及び彩度係数ＢＳＣｖａｌに基づいて決定される。すなわち、青の色相に近く、彩度が高いほど、シアン成分光Ｃｙの重畳量が小さくなる。
【０１０５】
これによって、実施例では、比較例のように色再現範囲が縮小せずに、黄成分光Ｙｅ及びシアン成分光Ｃｙを用いることができる。
【０１０６】
［変更例１］
以下において、第１実施形態の変更例１について、図面を参照しながら説明する。以下においては、第１実施形態との相違点について説明する。
【０１０７】
具体的には、第１実施形態では、黄成分光Ｙｅの偏光状態を調整する偏光状態調整素子（偏光状態調整素子５１ＲＹｅ）は、赤成分光Ｒの光路上に設けられる。これに対して、変更例１では、黄成分光Ｙｅの偏光状態を調整する偏光状態調整素子は、緑成分光Ｇの光路上に設けられる。
【０１０８】
（投写型映像表示装置の構成）
以下において、変更例１に係る投写型映像表示装置について、図面を参照しながら説明する。図１８は、変更例１に係る投写型映像表示装置１００の構成を示す図である。
【０１０９】
図１８に示すように、投写型映像表示装置１００は、偏光状態調整素子５１ＲＹｅに代えて、偏光状態調整素子５１ＧＹｅを有する。
【０１１０】
偏光状態調整素子５１ＧＹｅには、黄成分光Ｙｅとともに緑成分光Ｇが入射する。緑成分光Ｇは、赤成分光Ｒ、緑成分光Ｇ及び青成分光Ｂのうち、黄成分光Ｙｅの補色光（青成分光Ｂ）とは異なる第１重畳成分光である。すなわち、偏光状態調整素子５１ＧＹｅは、緑成分光Ｇの光路上に設けられる。
【０１１１】
偏光状態調整素子５１ＧＹｅは、第１重畳成分光（ここでは、緑成分光Ｇ）の偏光状態を調整せずに、黄成分光Ｙｅの偏光状態を調整する。具体的には、偏光状態調整素子５１ＧＹｅは、自素子に印加される電圧に応じて、黄成分光Ｙｅの偏光状態を調整する。
【０１１２】
例えば、偏光状態調整素子５１ＧＹｅは、黄成分光Ｙｅの偏光方向を回転させない状態と、黄成分光Ｙｅの偏光方向を９０°回転させる状態とを選択的に切り替え可能に構成された光学素子である。又は、偏光状態調整素子５１ＧＹｅは、０〜９０°の範囲内において、黄成分光Ｙｅの偏光状態を調整する光学素子である。
【０１１３】
ここで、偏光状態調整素子５１ＧＹｅは、単一の画素を有しており、黄成分光Ｙｅの重畳量をフレームで一律に制御してもよい。また、偏光状態調整素子５１ＧＹｅは、複数の画素を有しており、黄成分光Ｙｅの重畳量を画素毎に制御してもよい。なお、偏光状態調整素子５１ＧＹｅの画素数は、液晶パネル５０の画素数よりも少ないことが好ましい。
【０１１４】
また、投写型映像表示装置１００に設けられる光源１０は、ＵＨＰランプが用いられることが好ましい。ＵＨＰランプから出射される光では、図１９に示すように、黄成分光Ｙｅの強度（光量）が相対的に多い。変更例１では、黄成分光Ｙｅに対して色弁別度が低い緑成分光Ｇに黄成分光Ｙｅが重畳される。
【０１１５】
ここで、上述したＹｅ制御部２２０は、映像入力信号に基づいて、黄成分光Ｙｅの重畳量を決定する。具体的には、Ｙｅ制御部２２０は、入力色相成分Ｈｉｎ及び入力彩度成分Ｓｉｎに基づいて、黄成分光Ｙｅの重畳量を決定する。
【０１１６】
第１に、Ｙｅ制御部２２０は、図２０を参照して、入力色相成分Ｈｉｎに対応する色相係数ＧＨＹｖａｌを算出する。図２０に示すように、緑の色相に近いほど、色相係数ＧＨＹｖａｌの値が小さい。なお、色相係数ＧＨＹｖａｌの範囲は、“０”〜“１”である。
【０１１７】
なお、偏光状態調整素子５１ＧＹｅが単一の画素を有する場合には、Ｙｅ制御部２２０は、フレームを構成する全画素の入力色相成分Ｈｉｎの平均値を用いる。偏光状態調整素子５１ＧＹｅが複数の画素を有する場合には、Ｙｅ制御部２２０は、偏光状態調整素子５１ＧＹｅの１画素に対応する画素の入力色相成分Ｈｉｎの平均値を用いる。
【０１１８】
続いて、Ｙｅ制御部２２０は、図２１を参照して、入力彩度成分Ｓｉｎに対応する彩度係数ＧＳＹｖａｌを算出する。図２１に示すように、彩度が高いほど、彩度係数ＧＳＹｖａｌの値が小さい。なお、彩度係数ＧＳＹｖａｌの範囲は、“０”〜“１”である。
【０１１９】
なお、偏光状態調整素子５１ＧＹｅが単一の画素を有する場合には、Ｙｅ制御部２２０は、フレームを構成する全画素の入力彩度成分Ｓｉｎの平均値を用いる。偏光状態調整素子５１ＧＹｅが複数の画素を有する場合には、Ｙｅ制御部２２０は、偏光状態調整素子５１ＧＹｅの１画素に対応する画素の入力彩度成分Ｓｉｎの平均値を用いる。
【０１２０】
第２に、Ｙｅ制御部２２０は、色相係数ＧＨＹｖａｌ及び彩度係数ＧＳＹｖａｌに基づいて、黄成分光Ｙｅの重畳係数Ｖｙ及び出力信号Ｙｅｏｕｔを、以下の式に従って算出する。なお、重畳係数Ｖｙの範囲は、“０”〜“１”である。また、出力信号Ｙｅｏｕｔは、偏光状態調整素子５１ＧＹｅを制御するための信号である。ＳｉｇＭＡＸは、映像信号の最大値（例えば、２５５）である。
【０１２１】
【数９】
2010139577.tif 000011
【０１２２】
なお、図２２に示すように、黄成分光Ｙｅの重畳量が最大であるケース（Ｖｙ＝ＭＡＸ）における色再現範囲は、黄成分光Ｙｅの重畳量が０であるケース（Ｖｙ＝０）における色再現範囲よりも小さくなることに留意すべきである。色再現範囲（Ｖｙ＝ＭＡＸ）は、特に、緑の色相において、色再現範囲（Ｖｙ＝０）よりも小さくなる。
【０１２３】
ここで、ＲＧＢ制御部２４０は、赤出力信号Ｒｏｕｔ、緑出力信号Ｇｏｕｔ及び青出力信号Ｂｏｕｔを、以下の式に従って算出する。
【０１２４】
【数１０】
2010139577.tif 000012
【０１２５】
（作用及び効果）
変更例１では、偏光状態調整素子５１ＧＹｅが緑成分光Ｇの光路上に設けられる。すなわち、黄成分光Ｙｅに対して色弁別度が低い緑成分光Ｇに黄成分光Ｙｅが重畳される。従って、黄成分光Ｙｅの重畳に伴う色ずれを抑制することができる。
【０１２６】
［変更例２］
以下において、第１実施形態の変更例２について、図面を参照しながら説明する。以下においては、第１実施形態との相違点について説明する。
【０１２７】
具体的には、第１実施形態では、シアン成分光Ｃｙの偏光状態を調整する偏光状態調整素子（偏光状態調整素子５１ＢＣｙ）は、青成分光Ｂの光路上に設けられる。これに対して、変更例２では、シアン成分光Ｃｙの偏光状態を調整する偏光状態調整素子は、緑成分光Ｇの光路上に設けられる。
【０１２８】
（投写型映像表示装置の構成）
以下において、変更例２に係る投写型映像表示装置について、図面を参照しながら説明する。図２３は、変更例２に係る投写型映像表示装置１００の構成を示す図である。
【０１２９】
図２３に示すように、投写型映像表示装置１００は、偏光状態調整素子５１ＢＣｙに代えて、偏光状態調整素子５１ＧＣｙを有する。
【０１３０】
偏光状態調整素子５１ＧＣｙには、シアン成分光Ｃｙとともに緑成分光Ｇが入射する。緑成分光Ｇは、赤成分光Ｒ、緑成分光Ｇ及び青成分光Ｂのうち、シアン成分光Ｃｙの補色光（赤成分光Ｒ）とは異なる第２重畳成分光である。すなわち、偏光状態調整素子５１ＧＣｙは、緑成分光Ｇの光路上に設けられる。
【０１３１】
偏光状態調整素子５１ＧＣｙは、第２重畳成分光（ここでは、緑成分光Ｇ）の偏光状態を調整せずに、シアン成分光Ｃｙの偏光状態を調整する。具体的には、偏光状態調整素子５１ＧＣｙは、自素子に印加される電圧に応じて、シアン成分光Ｃｙの偏光状態を調整する。
【０１３２】
例えば、偏光状態調整素子５１ＧＣｙは、シアン成分光Ｃｙの偏光方向を回転させない状態と、シアン成分光Ｃｙの偏光方向を９０°回転させる状態とを選択的に切り替え可能に構成された光学素子である。又は、偏光状態調整素子５１ＧＣｙは、０〜９０°の範囲内において、シアン成分光Ｃｙの偏光状態を調整する光学素子である。
【０１３３】
ここで、偏光状態調整素子５１ＧＣｙは、単一の画素を有しており、シアン成分光Ｃｙの重畳量をフレームで一律に制御してもよい。また、偏光状態調整素子５１ＧＣｙは、複数の画素を有しており、シアン成分光Ｃｙの重畳量を画素毎に制御してもよい。なお、偏光状態調整素子５１ＧＣｙの画素数は、液晶パネル５０の画素数よりも少ないことが好ましい。
【０１３４】
また、投写型映像表示装置１００に設けられる光源１０は、キセノンランプが用いられることが好ましい。キセノンランプから出射される光では、図２４に示すように、シアン成分光Ｃｙの強度（光量）が相対的に多い。変更例２では、シアン成分光Ｃｙに対して色弁別度が低い緑成分光Ｇにシアン成分光Ｃｙが重畳される。
【０１３５】
ここで、上述したＣｙ制御部２３０は、映像入力信号に基づいて、シアン成分光Ｃｙの重畳量を決定する。具体的には、Ｃｙ制御部２３０は、入力色相成分Ｈｉｎ及び入力彩度成分Ｓｉｎに基づいて、シアン成分光Ｃｙの重畳量を決定する。
【０１３６】
第１に、Ｃｙ制御部２３０は、図２５を参照して、入力色相成分Ｈｉｎに対応する色相係数ＧＨＣｖａｌを算出する。図２５に示すように、緑の色相に近いほど、色相係数ＧＨＣｖａｌの値が小さい。なお、色相係数ＧＨＣｖａｌの範囲は、“０”〜“１”である。
【０１３７】
なお、偏光状態調整素子５１ＧＣｙが単一の画素を有する場合には、Ｃｙ制御部２３０は、フレームを構成する全画素の入力色相成分Ｈｉｎの平均値を用いる。偏光状態調整素子５１ＧＣｙが複数の画素を有する場合には、Ｃｙ制御部２３０は、偏光状態調整素子５１ＧＣｙの１画素に対応する画素の入力色相成分Ｈｉｎの平均値を用いる。
【０１３８】
続いて、Ｃｙ制御部２３０は、図２６を参照して、入力彩度成分Ｓｉｎに対応する彩度係数ＧＳＣｖａｌを算出する。図２６に示すように、彩度が高いほど、彩度係数ＧＳＣｖａｌの値が小さい。なお、彩度係数ＧＳＣｖａｌの範囲は、“０”〜“１”である。
【０１３９】
なお、偏光状態調整素子５１ＧＣｙが単一の画素を有する場合には、Ｃｙ制御部２３０は、フレームを構成する全画素の入力彩度成分Ｓｉｎの平均値を用いる。偏光状態調整素子５１ＧＣｙが複数の画素を有する場合には、Ｃｙ制御部２３０は、偏光状態調整素子５１ＧＣｙの１画素に対応する画素の入力彩度成分Ｓｉｎの平均値を用いる。
【０１４０】
第２に、Ｃｙ制御部２３０は、色相係数ＧＨＣｖａｌ及び彩度係数ＧＳＣｖａｌに基づいて、シアン成分光Ｃｙの重畳係数Ｖｃ及び出力信号Ｃｙｏｕｔを、以下の式に従って算出する。なお、重畳係数Ｖｃの範囲は、“０”〜“１”である。また、出力信号Ｃｙｏｕｔは、偏光状態調整素子５１ＧＣｙを制御するための信号である。
【０１４１】
【数１１】
2010139577.tif 000013
【０１４２】
なお、図２７に示すように、シアン成分光Ｃｙの重畳量が最大であるケース（Ｖｃ＝ＭＡＸ）における色再現範囲は、シアン成分光Ｃｙの重畳量が０であるケース（Ｖｃ＝０）における色再現範囲よりも小さくなることに留意すべきである。色再現範囲（Ｖｃ＝ＭＡＸ）は、特に、緑の色相において、色再現範囲（Ｖｃ＝０）よりも小さくなる。
【０１４３】
ここで、ＲＧＢ制御部２４０は、赤出力信号Ｒｏｕｔ、緑出力信号Ｇｏｕｔ及び青出力信号Ｂｏｕｔを、以下の式に従って算出する。
【０１４４】
【数１２】
2010139577.tif 000014
【０１４５】
（作用及び効果）
変更例２では、偏光状態調整素子５１ＧＣｙが緑成分光Ｇの光路上に設けられる。すなわち、シアン成分光Ｃｙに対して色弁別度が低い緑成分光Ｇにシアン成分光Ｃｙが重畳される。従って、シアン成分光Ｃｙの重畳に伴う色ずれを抑制することができる。
【０１４６】
［変更例３］
以下において、第１実施形態の変更例３について、図面を参照しながら説明する。以下においては、第１実施形態との相違点について説明する。
【０１４７】
具体的には、第１実施形態では、黄成分光Ｙｅの偏光状態を調整する偏光状態調整素子（偏光状態調整素子５１ＲＹｅ）は、赤成分光Ｒの光路上に設けられる。また、第１実施形態では、シアン成分光Ｃｙの偏光状態を調整する偏光状態調整素子（偏光状態調整素子５１ＢＣｙ）は、青成分光Ｂの光路上に設けられる。
【０１４８】
これに対して、変更例３では、黄成分光Ｙｅの偏光状態を調整する偏光状態調整素子は、緑成分光Ｇの光路上に設けられる。また、変更例３では、シアン成分光Ｃｙの偏光状態を調整する偏光状態調整素子は、緑成分光Ｇの光路上に設けられる。
【０１４９】
（投写型映像表示装置の構成）
以下において、変更例３に係る投写型映像表示装置について、図面を参照しながら説明する。図２８は、変更例３に係る投写型映像表示装置１００の構成を示す図である。
【０１５０】
図２８に示すように、投写型映像表示装置１００は、偏光状態調整素子５１ＲＹｅ及び偏光状態調整素子５１ＢＣｙに代えて、偏光状態調整素子５１ＧＹｅ及び偏光状態調整素子５１ＧＣｙを有する。
【０１５１】
なお、偏光状態調整素子５１ＧＹｅは、変更例１と同様であるため、偏光状態調整素子５１ＧＹｅの詳細については省略する。同様に、偏光状態調整素子５１ＧＣｙは、変更例２と同様であるため、偏光状態調整素子５１ＧＣｙの詳細については省略する。
【０１５２】
なお、上述したＹｅ制御部２２０は、変更例１と同様に、色相係数ＧＨＹｖａｌ及び彩度係数ＧＳＹｖａｌに基づいて、黄成分光Ｙｅの重畳係数Ｖｙを算出する。同様に、上述したＣｙ制御部２３０は、変更例２と同様に、色相係数ＧＨＣｖａｌ及び彩度係数ＧＳＣｖａｌに基づいて、シアン成分光Ｃｙの重畳係数Ｖｃを算出する。
【０１５３】
ここで、Ｙｅ制御部２２０及びＣｙ制御部２３０は、出力信号Ｙｅｏｕｔ及び出力信号Ｃｙｏｕｔを算出する。具体的には、Ｙｅ制御部２２０及びＣｙ制御部２３０は、黄成分光Ｙｅの偏光状態の調整量（出力信号Ｙｅｏｕｔ）及びシアン成分光Ｃｙの偏光状態の調整量（出力信号Ｃｙｏｕｔ）を同じ量に揃える。
【０１５４】
第１に、色再現性を優先するケースについて説明する。具体的には、Ｙｅ制御部２２０及びＣｙ制御部２３０は、以下の式に従って、出力信号Ｙｅｏｕｔ及び出力信号Ｃｙｏｕｔを算出する。
【０１５５】
【数１３】
2010139577.tif 000015
【０１５６】
第２に、輝度を優先するケースについて説明する。具体的には、Ｙｅ制御部２２０及びＣｙ制御部２３０は、以下の式に従って、出力信号Ｙｅｏｕｔ及び出力信号Ｃｙｏｕｔを算出する。
【０１５７】
【数１４】
2010139577.tif 000016
【０１５８】
ここで、ＲＧＢ制御部２４０は、赤出力信号Ｒｏｕｔ、緑出力信号Ｇｏｕｔ及び青出力信号Ｂｏｕｔを、以下の式に従って算出する。
【０１５９】
【数１５】
2010139577.tif 000017
【０１６０】
また、制御ユニット２００は、ミラー７１及びミラー７２などのダイクロイックミラーの特性（カットオフ波長）によって、黄成分光Ｙｅの偏光状態を調整量（出力信号Ｙｅｏｕｔ）及びシアン成分光Ｃｙの偏光状態を調整量（出力信号Ｃｙｏｕｔ）の比率を変更してもよい。
【０１６１】
（作用及び効果）
変更例３では、偏光状態調整素子５１ＧＹｅ及び偏光状態調整素子５１ＧＣｙが緑成分光Ｇの光路上に設けられる。また、制御ユニット２００は、黄成分光Ｙｅの偏光状態の調整量（出力信号Ｙｅｏｕｔ）及びシアン成分光Ｃｙの偏光状態の調整量（出力信号Ｃｙｏｕｔ）を同じ量に揃える。従って、黄成分光Ｙｅ及びシアン成分光Ｃｙの重畳に伴う色ずれを抑制することができる。
【０１６２】
［変更例４］
以下において、第１実施形態の変更例４について、図面を参照しながら説明する。以下においては、第１実施形態との相違点について説明する。
【０１６３】
具体的には、第１実施形態では、黄成分光Ｙｅの偏光状態を調整する偏光状態調整素子（偏光状態調整素子５１ＲＹｅ）は、赤成分光Ｒの光路上に設けられる。また、第１実施形態では、シアン成分光Ｃｙの偏光状態を調整する偏光状態調整素子（偏光状態調整素子５１ＢＣｙ）は、青成分光Ｂの光路上に設けられる。
【０１６４】
これに対して、変更例４では、黄成分光Ｙｅの偏光状態を調整する偏光状態調整素子は、赤成分光Ｒ及び緑成分光Ｇの光路上に設けられる。また、変更例４では、シアン成分光Ｃｙの偏光状態を調整する偏光状態調整素子は、緑成分光Ｇ及び青成分光Ｂの光路上に設けられる。
【０１６５】
（投写型映像表示装置の構成）
以下において、変更例４に係る投写型映像表示装置について、図面を参照しながら説明する。図２９は、変更例４に係る投写型映像表示装置１００の構成を示す図である。
【０１６６】
図２９に示すように、投写型映像表示装置１００は、偏光状態調整素子５１ＲＹｅ及び偏光状態調整素子５１ＢＣｙに加えて、偏光状態調整素子５１ＧＹｅ及び偏光状態調整素子５１ＧＣｙを有する。
【０１６７】
なお、偏光状態調整素子５１ＧＹｅは、変更例１と同様であるため、偏光状態調整素子５１ＧＹｅの詳細については省略する。同様に、偏光状態調整素子５１ＧＣｙは、変更例２と同様であるため、偏光状態調整素子５１ＧＣｙの詳細については省略する。
【０１６８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１６９】
例えば、光変調素子の一例として、透過型の液晶パネル５０について説明したが、光変調素子は、これに限定されるものではない。光変調素子は、反射型の液晶パネルやＤＭＤ（Ｄｉｇｉｔａｌ  Ｍｉｃｒｏｍｉｒｒｏｒ  Ｄｅｖｉｃｅ）であってもよい。
【図面の簡単な説明】
【０１７０】
【図１】第１実施形態に係る投写型映像表示装置１００を示す図である。
【図２】第１実施形態に係る偏光状態調整素子５１ＲＹｅの近傍を示す図である。
【図３】第１実施形態に係る偏光状態調整素子５１ＲＹｅの近傍を示す図である。
【図４】第１実施形態に係る偏光状態調整素子５１ＢＣｙの近傍を示す図である。
【図５】第１実施形態に係る偏光状態調整素子５１ＢＣｙの近傍を示す図である。
【図６】第１実施形態に係る制御ユニット２００を示すブロック図である。
【図７】第１実施形態に係るＲＨＹｖａｌを説明するための図である。
【図８】第１実施形態に係るＲＳＹｖａｌを説明するための図である。
【図９】第１実施形態に係る黄成分光Ｙｅの重畳による色再現範囲の変化を示す図である。
【図１０】第１実施形態に係るＨＹａｄｊを説明するための図である。
【図１１】第１実施形態に係るＳＹａｄｊを説明するための図である。
【図１２】第１実施形態に係るＢＨＣｖａｌを説明するための図である。
【図１３】第１実施形態に係るＢＳＣｖａｌを説明するための図である。
【図１４】第１実施形態に係るシアン成分光Ｃｙの重畳による色再現範囲の変化を示す図である。
【図１５】第１実施形態に係るＨＣａｄｊを説明するための図である。
【図１６】第１実施形態に係るＳＣａｄｊを説明するための図である。
【図１７】実施例と比較例との比較結果を示す図である。
【図１８】変更例１に係る投写型映像表示装置１００を示す図である。
【図１９】変更例１に係る光源１０から出射される光の強度を示す図である。
【図２０】変更例１に係るＧＨＹｖａｌを説明するための図である。
【図２１】変更例１に係るＧＳＹｖａｌを説明するための図である。
【図２２】変更例１に係る黄成分光Ｙｅの重畳による色再現範囲の変化を示す図である。
【図２３】変更例２に係る投写型映像表示装置１００を示す図である。
【図２４】変更例２に係る光源１０から出射される光の強度を示す図である。
【図２５】変更例２に係るＧＨＣｖａｌを説明するための図である。
【図２６】変更例２に係るＧＳＣｖａｌを説明するための図である。
【図２７】変更例２に係るシアン成分光Ｃｙの重畳による色再現範囲の変化を示す図である。
【図２８】変更例３に係る投写型映像表示装置１００を示す図である。
【図２９】変更例４に係る投写型映像表示装置１００を示す図である。
【符号の説明】
【０１７１】
１０・・・光源、２０・・・ＵＶ／ＩＲカットフィルタ、３０・・・フライアイレンズユニット、４０・・・ＰＢＳアレイ、５０・・・液晶パネル、５１・・・偏光状態調整素子、５２、５３・・・偏光板、６０・・・クロスダイクロイックキューブ、７１〜７６・・・ミラー、８１〜８５・・・レンズ、１００・・・投写型映像表示装置、１１０・・・投写光学系、１２０・・・照明ユニット、２００・・・制御部、２１０・・・信号受付部、２２０・・・ＨＳＶ変換部、２３０・・・Ｙｅ制御部、２４０・・・Ｃｙ制御部、２５０・・・ＲＧＢ制御部
【図１】
2010139577.tif 000018
【図２】
2010139577.tif 000019
【図３】
2010139577.tif 000020
【図４】
2010139577.tif 000021
【図５】
2010139577.tif 000022
【図６】
2010139577.tif 000023
【図７】
2010139577.tif 000024
【図８】
2010139577.tif 000025
【図９】
2010139577.tif 000026
【図１０】
2010139577.tif 000027
【図１１】
2010139577.tif 000028
【図１２】
2010139577.tif 000029
【図１３】
2010139577.tif 000030
【図１４】
2010139577.tif 000031
【図１５】
2010139577.tif 000032
【図１６】
2010139577.tif 000033
【図１７】
2010139577.tif 000034
【図１８】
2010139577.tif 000035
【図１９】
2010139577.tif 000036
【図２０】
2010139577.tif 000037
【図２１】
2010139577.tif 000038
【図２２】
2010139577.tif 000039
【図２３】
2010139577.tif 000040
【図２４】
2010139577.tif 000041
【図２５】
2010139577.tif 000042
【図２６】
2010139577.tif 000043
【図２７】
2010139577.tif 000044
【図２８】
2010139577.tif 000045
【図２９】
2010139577.tif 000046